(57)【特許請求の範囲】
【請求項１】
端末装置と、当該端末装置と無線通信を行う基地局装置と、当該基地局装置と情報をやり取りするサーバ装置と、を含む通信システムにおいて、
前記サーバ装置は、
前記端末装置の位置情報を取得し、取得した当該位置情報に基づき当該端末装置のハンドオーバ先となる基地局装置を選択する手段と、
前記選択した基地局装置が、無線通信を停止または抑圧している動作状態である場合、当該基地局装置に、当該動作状態から通常動作状態への状態指示を行う手段と、
自装置が前記端末装置のハンドオーバ先となる基地局装置を選択できない場合、同一の通信システムの他のサーバ装置に、前記端末装置のハンドオーバ先となる基地局装置を選択させる手段と、を有し、
前記選択された基地局装置は、
前記状態指示に基づき自装置の状態を前記通常動作状態に制御する手段、を有する、
ことを特徴とする通信システム。
【請求項２】
前記サーバ装置は、前記端末装置の位置情報と、複数の基地局装置の位置情報、或いは複数の基地局装置が提供し得る基地局装置ごとのセルエリアに関する情報とに基づいて、前記端末装置のハンドオーバ先となる基地局装置を選択する、
ことを特徴とする請求項１に記載のシステム。
【請求項３】
前記サーバ装置は、前記状態指示を行った後に、前記端末装置のハンドオーバが実施されるよう制御することを特徴とする請求項１または２に記載の通信システム。
【請求項４】
端末装置と、当該端末装置と無線通信を行う基地局装置と、当該基地局装置と情報をやり取りするサーバ装置とを含む通信システムにおけるサーバ装置であって、
前記端末装置の位置情報を取得し、取得した当該位置情報に基づき当該端末装置のハンドオーバ先となる基地局装置を選択する手段と、
前記選択した基地局装置が、無線通信を停止または抑圧している動作状態である場合、当該基地局装置に、当該動作状態から通常動作状態への状態指示を行う手段と、
自装置が前記端末装置のハンドオーバ先となる基地局装置を選択できない場合、同一の通信システムの他のサーバ装置に、前記端末装置のハンドオーバ先となる基地局装置を選択させる手段と、
を含むことを特徴とするサーバ装置。
【請求項５】
前記サーバ装置は、複数の基地局装置の何れかに含まれ、通信ネットワークを介して他の基地局装置と通信を行い、前記選択した他の基地局装置へ状態指示を行うことを特徴とする請求項４に記載のサーバ装置。
【請求項６】
端末装置と、当該端末装置と無線通信を行う基地局装置と、当該基地局装置と情報をやり取りするサーバ装置とを含む通信システムにおける通信方法であって、
前記サーバ装置が、
前記端末装置の位置情報を取得し、取得した当該位置情報に基づき当該端末装置のハンドオーバ先となる基地局装置を選択するステップと、
前記選択した基地局装置が、無線通信を停止または抑圧している動作状態である場合、当該基地局装置に、当該動作状態から通常動作状態への状態指示を行うステップと、
自装置が前記端末装置のハンドオーバ先となる基地局装置を選択できない場合、同一の通信システムの他のサーバ装置に、前記端末装置のハンドオーバ先となる基地局装置を選択させるステップと、
前記選択された基地局装置が、
前記状態指示に基づき自装置の状態を前記通常動作状態に制御するステップと、
を含むこと特徴とする通信方法。
【発明の詳細な説明】
【技術分野】
【０００１】
本発明は、端末装置と、前記端末装置と無線通信を行う複数の基地局装置と、前記複数の基地局装置と情報をやり取りするサーバ装置とを含む通信システムに関する。
【背景技術】
【０００２】
今日、移動体通信を行う通信システムには、移動する端末装置と基地局装置Ａが通信を行っているとき、端末装置がある基地局装置Ａの通信エリアから他の基地局装置Ｂの通信エリアへ移動するなどし、受信電力が弱くなるなどの変移を検出すると、ハンドオーバ（或いはハンドオフ）を行い、これまで通信していた基地局装置Ａとの通信の終了と併せ、新たな基地局装置Ｂとの通信を開始し、通信状態を維持する技術がある。
【０００３】
このようなハンドオーバを実現するためには、端末装置が基地局装置Ａと通信中であるときから基地局装置Ｂは通信可能な状態（稼動状態）で待機している必要がある。
【０００４】
このため一般に基地局装置は、端末装置との通信を行っているか否かにかかわらず、常時稼動している。
【０００５】
引用文献（非特許文献）には、ＷｉＭＡＸシステムにおけるハンドオーバ（ｈａｎｄｏｖｅｒ）についての記載がある。
【先行技術文献】
【非特許文献】
【０００６】
社団法人  電波産業会発行  ＡＲＩＢ  ＳＴＤ−Ｔ９４  Ｖｅｒｓｉｏｎ  １．３  ＯＦＤＭＡ  Ｂｒｏａｄｂａｎｄ  Ｍｏｂｉｌｅ  Ｗｉｒｅｌｅｓｓ  Ａｃｃｅｓｓ  Ｓｙｓｔｅｍ（ＷｉＭＡＸＴＭ  ａｐｐｌｉｅｄ  ｉｎ  Ｊａｐａｎ）
【発明の概要】
【発明が解決しようとする課題】
【０００７】
前述のような通信システムでは、無線通信システムの基地局装置は常時無線サービスを提供できるようにするために、自エリア内にその時点で無線サービスを利用している端末装置がいない場合でも電源を常にＯＮにするなど稼動させておく必要があり、電源電力を無駄に消費する可能性がある。
【０００８】
また、小型基地局装置は通常の基地局装置の電波が届かない極小エリアに設置されることがあり、このような場合、時間帯に応じた利用者の増減が激しく、利用者が居ない場合も顕著となる。
【０００９】
しかし、利用者が少なくても基地局装置の電源を落としてしまうと、隣接する基地局装置から移動してきたユーザの無線端末装置を検出することができずハンドオーバができなくなるため、このようなユーザに対して圏外となり無線通信サービスを提供できなくなる。
【課題を解決するための手段】
【００１０】
本発明における通信システムは、端末装置と、端末装置と無線通信を行う複数の基地局装置と、複数の基地局装置と情報をやり取りするサーバ装置とを含み、端末装置または基地局装置において通信相手からの無線信号を受信し、受信電力を検出する電力検出部と、電力検出部が所定の電力を検出したことに基づき、端末装置の位置情報を取得する位置情報取得部と、サーバ装置にて、位置情報に基づきハンドオーバ対象とする基地局装置を選択し、該選択した基地局装置へ状態指示を行う状態指示部と、選択した基地局装置にて、状態指示に基づき選択した基地局装置の状態を制御する基地局装置状態制御部とを備えることを特徴とする。
【００１１】
またさらに、状態指示部は端末装置の位置情報に対し、基地局装置の位置或いは基地局装置が提供し得るセルエリアが、所定の距離より近い或いは他の基地局装置に対し比較的近いことを、対象とする基地局装置として選択するための条件に含めることを特徴としても良い。
【００１２】
またさらに、端末装置の位置情報を取得した後に、該端末装置へハンドオーバを実施するよう指示することを特徴とする。
【００１３】
本発明における端末装置は、端末装置と無線通信を行う複数の基地局装置とを含む通信システムにおいて、端末装置において通信相手である基地局装置からの無線信号を受信し、所定の受信電力を検出する電力検出部と、検出結果を、無線通信により基地局装置へ伝達することを特徴としても良い。
【００１４】
本発明における端末装置は、端末装置と無線通信を行う複数の基地局装置とを含む通信システムにおける端末装置であって、端末装置において端末装置の位置情報を取得する位置情報取得部と、端末装置または基地局装置において、通信相手からの受信電力が所定の電力より低いことを検出したことに基づき、前記位置情報を前記基地局装置へ伝達することを特徴とする。
【００１５】
本発明における端末装置は、端末装置と無線通信を行う複数の基地局装置とを含む通信システムにおいて、ＧＰＳ（Ｇｌｏｂａｌ  Ｐｏｓｉｔｉｏｎｉｎｇ  Ｓｙｓｔｅｍ）受信部を位置情報取得部として含み、端末装置または基地局装置において、通信相手である基地局装置または端末装置からの無線信号を受信し、所定の受信電力を検出したことに基づき、ＧＰＳ受信部より位置情報を取得する位置情報取得部と、取得した位置情報を、無線通信により基地局装置へ伝達することを特徴とする。
【００１６】
本発明における端末装置は、端末装置と端末装置と無線通信を行う複数の基地局装置と、複数の基地局装置と情報をやり取りするサーバ装置とを含む通信システムにおける端末装置であって、端末装置または基地局装置において、通信相手である基地局装置または端末装置からの無線信号を受信し、所定の受信電力を検出する電力検出部と、複数の基地局装置が送信する所定の信号を受信することにより、複数の基地局装置毎の受信電力値に基づく所定信号受信電力情報を得、所定の受信電力を検出したことに基づき、複数の基地局装置の何れかに所定信号受信電力情報を送信する送信手段とを含むことを特徴とする。
【００１７】
本発明における基地局装置は、端末装置と、端末装置と無線通信を行う複数の基地局装置と、複数の基地局装置と情報をやり取りするサーバ装置とを含む通信システムにおける基地局装置であって、電力検出部は基地局装置にあり、端末装置が送信した無線信号を受信し、該受信した無線信号の受信電力を検出することを特徴とする。
【００１８】
本発明における基地局装置は、端末装置と、端末装置と無線通信を行う複数の基地局装置と、複数の基地局装置と情報をやり取りするサーバ装置とを含む通信システムにおける基地局装置であって、端末装置は、複数の基地局装置が送信する所定の信号を受信することにより、複数の基地局装置毎の受信電力値に基づく所定信号受信電力情報を得、複数の基地局装置の何れかに所定信号受信電力情報を送信し、基地局装置は、所定信号受信電力情報を受信し、所定信号受信電力情報に含まれた基地局装置の位置に関する情報と端末装置における受信電力との関係から、端末装置の位置情報を取得する位置情報取得部を含むことを特徴とする。
【００１９】
本発明における基地局装置は、端末装置と、端末装置と無線通信を行う複数の基地局装置と、複数の基地局装置と情報をやり取りするサーバ装置とを含む通信システムにおける基地局装置であって、複数の基地局装置にて所定の端末装置からの所定信号を受信し、複数の基地局装置毎の受信電力値に基づく情報をサーバ装置へ送信することを特徴とする。
【００２０】
本発明における基地局装置は、端末装置と、端末装置と無線通信を行う複数の基地局装置と、複数の基地局装置と情報をやり取りするサーバ装置とを含む通信システムにおける基地局装置であって、端末装置または基地局装置において、通信相手からの無線信号を受信し、受信電力を検出する電力検出部と、所定の電力を検出したことに基づき、端末装置の位置情報を取得する位置情報取得部と、端末装置の位置情報を取得した後に、該端末装置へハンドオーバを実施するよう指示することを特徴とする。
【００２１】
本発明における基地局装置は、複数の基地局装置と情報をやり取りするサーバ装置とを含む通信システムにおける基地局装置であって、サーバ装置にて、選択した基地局装置へ状態指示を行い、選択した基地局装置は、状態指示に基づき選択した基地局装置の状態を制御する基地局装置状態制御部とを備えることを特徴とする。
【００２２】
本発明における基地局装置は、端末装置と、端末装置と無線通信を行う複数の基地局装置と、複数の基地局装置と情報をやり取りするサーバ装置とを含む通信システムにおけるサーバ装置であって、端末装置または基地局装置において、通信相手である基地局装置または端末装置からの無線信号を受信し、所定の受信電力を検出したことに基づき、端末装置の位置情報を取得するために、端末装置が、複数の基地局装置が送信する所定の信号を受信することにより、複数の基地局装置毎の受信電力値に基づく所定信号受信電力情報を得、複数の基地局装置の何れかに所定信号受信電力情報を送信し、基地局装置が、所定信号受信電力情報を受信し、所定信号受信電力情報に含まれた基地局装置の位置に関する情報と端末装置における受信電力との関係から、端末装置の位置情報を取得する位置情報取得部を備えることを特徴とする。
【００２３】
本発明におけるサーバ装置は、端末装置と、端末装置と無線通信を行う複数の基地局装置と、複数の基地局装置と情報をやり取りするサーバ装置とを含む通信システムにおけるサーバ装置であって、複数の基地局装置にて所定の端末装置からの所定信号を受信し、複数の基地局装置毎の受信電力値に基づく情報をサーバ装置へ送信し、複数の基地局装置の位置に関する情報と基地局装置毎の受信電力値とに基づき端末装置の位置情報を取得する位置情報取得部を備えることを特徴とする。
【００２４】
本発明におけるサーバ装置は、端末装置と、端末装置と無線通信を行う複数の基地局装置と、複数の基地局装置と情報をやり取りするサーバ装置とを含む通信システムにおけるサーバ装置であって、端末装置または基地局装置において、通信相手である基地局装置または端末装置からの無線信号を受信し、所定の受信電力を検出したことに基づき、端末装置の位置情報を取得し、サーバ装置にて、位置情報に基づきハンドオーバ対象とする基地局装置を選択し、該選択した基地局装置へ状態指示を行う状態指示部を含むことを特徴とする。
【００２５】
さらに、本発明におけるサーバ装置は、状態指示部を含むみ、複数の基地局装置の何れかに含まれ、通信ネットワークを介して他の基地局装置と通信を行い、選択した他の基地局装置へ状態指示を行うことを特徴としても良い。
【００２６】
本発明におけるサーバ装置は、端末装置と、端末装置と無線通信を行う複数の基地局装置と、複数の基地局装置と情報をやり取りするサーバ装置とを含む通信システムにおけるサーバ装置であって、端末装置または基地局装置において、通信相手である基地局装置または端末装置からの無線信号を受信し、所定の電力を検出したことに基づき、端末装置の位置情報を取得し、位置情報に基づきハンドオーバ対象とする基地局装置を選択し、該選択した基地局装置へ指示を行う状態指示部を含み、状態指示部は端末装置の位置情報に対し、基地局装置の位置或いは基地局装置が提供し得るセルエリアが、所定の距離より近い或いは他の基地局装置に対し比較的近いことを、対象とする基地局装置として選択するための条件に含めることを特徴とする。
【００２７】
本発明におけるサーバ装置は、端末装置と、端末装置と無線通信を行う複数の基地局装置と、複数の基地局装置と情報をやり取りするサーバ装置とを含む通信システムにおけるサーバ装置であって、端末装置または基地局装置において、通信相手である基地局装置または端末装置からの無線信号を受信し、所定の電力を検出し、検出したことに基づき、端末装置の位置情報を取得し、端末装置の位置情報を取得した後に、該端末装置へハンドオーバを実施するよう指示することを特徴とする。
【００２８】
本発明における通信方法は、端末装置と、端末装置と無線通信を行う複数の基地局装置と、複数の基地局装置と情報をやり取りするサーバ装置とを含む通信システムにおける通信方法であって、端末装置または基地局装置において、通信相手からの無線信号を受信し、電力を検出するステップと、所定の電力を検出したことに基づき、端末装置の位置情報を取得するステップと、サーバ装置にて、位置情報に基づきハンドオーバ対象とする基地局装置を選択し、該選択した基地局装置へ状態指示を行うステップと、選択した基地局装置にて、状態指示に基づき選択した基地局装置の状態を制御するステップと、を含むこと特徴とする。
【発明の効果】
【００２９】
以上説明したように、本発明によれば、エリア内に無線通信ユーザが居ない時には基地局装置を省電力モードにすることができ、電力消費量を削減することができる。特に普段ユーザがエリア内に居ない基地局装置においては大幅な電力消費量の削減することができる。
【図面の簡単な説明】
【００３０】
【図１】本発明の第１の実施形態に係る通信システムの構成図である。
【図２】本発明の実施形態に係る端末装置の構成ブロック図である。
【図３】本発明の実施形態に係る基地局装置の構成ブロック図である。
【図４】本発明の実施形態に係るサーバ装置の構成ブロック図である。
【図５】本発明の第１の実施形態に係る図１に示すシステム構成において、本発明の流れを示すシーケンス図である。
【図６】本発明の第２の実施形態に係る通信システムの構成図である。
【図７】本発明の第２の実施形態に係る図６に示すシステム構成において、本発明の流れを示すシーケンス図である。
【発明を実施するための形態】
【実施例】
【００３１】
（本発明の第１の実施形態に係る構成）
以降、図を用いて本発明の構成、手順について説明する。
【００３２】
図１は、本発明の実施形態に関わる通信システム１０−１の構成図である。
【００３３】
端末装置１００は、基地局装置２００−１と通信中である。  このとき基地局装置２００−１の通信サービス提供可能な範囲（セルエリア）はセルエリア２０１の円で示される範囲となる。
【００３４】
基地局装置２００−１は、サーバ装置３００と通信ネットワークなどを通じて接続されており、この通信ネットワークを介して制御情報その他の情報のやり取りが行われる。なお、通信ネットワークは、インターネット網や、ＩＳＤＮ網などでよい。
【００３５】
サーバ装置３００には、基地局装置２００−１のほかにも基地局装置２００−２、基地局装置２００−３、基地局装置２００−４など、複数の基地局装置と通信ネットワークを通じて接続されている。
【００３６】
通信システム１０−１内に複数ある基地局装置は、それぞれセルエリアを有しており、他の基地局装置のセルエリアと一部重複していることが多い。
【００３７】
このセルエリアの重複した部分を端末装置１００が移動する場合は、ハンドオーバを行うことにより、通信を継続することができる。
【００３８】
ハンドオーバの動作の一例を、図１を用いて説明する。
【００３９】
端末装置１００は基地局装置２００−１と通信中に図中の矢印で示される移動方向へ移動した場合、セルエリア２０１の端に近づくにつれ、基地局装置２００−１との距離が離れることから、通信中の基地局装置２００−１と端末装置１００それぞれにおいて平均的な受信電力が下がってゆく。
【００４０】
このまま電力が下がれば通信を行う装置の何れかが通信が不可能な受信電力となり、通信が途絶える。
【００４１】
多くのハンドオーバ可能な通信システムでは、基地局装置２００−１または、端末装置１００の何れかが所定の受信電力よりも小さい受信電力を検出した場合にハンドオーバの処理を開始する。
【００４２】
ハンドオーバの処理を開始すると、端末装置１００はその位置で受信可能な基地局装置を検索する。
【００４３】
この検索は例えば、各基地局装置が通信相手の有無に関わらず一方的に送信している信号（例えばブロードキャスト信号や制御信号と称される信号）を受信し、受信した信号に含まれる基地局装置毎に識別ＩＤ情報と受信電力を記憶または記録したリストに対して行う。
【００４４】
検索により最も高い受信電力であった基地局装置を探し、この基地局装置の識別ＩＤによりハンドオーバ先とする基地局装置を決定する。
【００４５】
図１では、移動方向を示す矢印上を端末装置１００がセルエリア２０１の端近くまで移動した場所でハンドオーバ動作を行えば、端末装置１００が基地局装置２００−２のセルエリア２０２に入っていることから、前述の検索により基地局装置２００−２をハンドオーバ先基地局装置として検出することができる。
【００４６】
端末装置１００が基地局装置２００−２を検出した後の端末装置１００の動作は、基地局装置２００−２との通信を開始し、これまで通信を行っていた基地局装置２００−１との通信を切断すればよい。
【００４７】
なお、端末装置１００が行っていた通信は、ハンドオーバ実施前に基地局装置２００−１を介して通信ネットワーク上の図示されない所定の通信装置に対して行われているが、ハンドオーバ後は基地局装置２００−２を介して同じ所定の通信装置に対して行われるようネットワーク側で通信を媒介する基地局装置の切り替えが行われる。
【００４８】
このような切り替え作業をサーバ装置３００が各基地局装置と情報をやり取りすることにより執り行うように動作しても良い。
【００４９】
ところで、前述したハンドオーバの動作では、端末装置１００の移動先にあるセルエリアを検出するために、端末装置１００が基地局装置の送信する信号を受信する動作がある。
【００５０】
このように、端末装置１００が移動先においてハンドオーバ先の対象となる基地局装置を適切に検出するためには、一般的に基地局装置２００−２側から何がしかの情報提供が必要となる。
【００５１】
つまり、ここでもし基地局装置２００−２の動作が停止、或いは送信電力低減などをしていれば、端末装置１００はハンドオーバ先として適切な基地局装置２００−２が存在しているにも関わらずこの基地局装置へハンドオーバを行うことができない。
【００５２】
このことは、例えば多くの基地局装置を管理する者が、基地局装置による消費電力を削減するために利用頻度の低い基地局装置の動作を停止させる、或いは基地局装置が送信する制御信号などによる干渉軽減のために制御信号の送信電力を下げる、などの処置を行うことを困難としている。
【００５３】
そこで本発明は、通信状態に無い基地局装置が停止状態、或いは送信電力低減状態などを行っていても、ハンドオーバを必要とする端末装置が検出されたことに基づき基地局装置の動作状態を通常の動作状態に戻す方法を提案する。
【００５４】
また、この際、通常の動作状態に戻す基地局装置を端末装置の位置情報に基づき、選択することにより、さらに無駄な基地局装置の通常状態への遷移を抑えることも提案する。
【００５５】
図２は、本発明の実施形態に係る端末装置の構成ブロック図である。
【００５６】
端末装置１００は、無線通信を行うために無線信号の送信処理や受信処理を行う無線部１１０を有している。
【００５７】
また、端末装置１００は、基地局装置２００との無線通信手順やハンドオーバ動作手順などの通信規約（プロトコル）に則る動作を行うために無線部１１０などを制御する通信制御部１１２を有している。
【００５８】
また、端末装置１００は、無線部１１０にて受信した信号の受信電力を測定するための受信電力測定部１１４を有している。なお、受信状態を検出するための図示されない受信状態検出部を有していてもよく、この受信状態を検出するために、電力、電界強度、ＳＮＲ（Ｓｉｇｎａｌ−ｔｏ−  Ｎｏｉｓｅ  Ｒａｔｉｏ）、ＳＩＲ（Ｓｉｇｎａｌ−ｔｏ−Ｉｎｔｅｒｆｅｒｅｎｃｅ  Ｒａｔｉｏ）、ＳＩＮＲ（Ｓｉｇｎａｌ−ｔｏ−Ｉｎｔｅｒｆｅｒｅｎｃｅ−ｐｌｕｓ−Ｎｏｉｓｅ  Ｒａｔｉｏ）、ＣＮＲ（Ｃａｒｒｉｅｒ−ｔｏ−  Ｎｏｉｓｅ  Ｒａｔｉｏ）、ＣＩＲ（Ｃａｒｒｉｅｒ  ｔｏ  Ｉｎｔｅｒｆｅｒｅｎｃｅ  Ｒａｔｉｏ）、ＣＩＮＲ（Ｃａｒｒｉｅｒ  ｔｏ  Ｉｎｔｅｒｆｅｒｅｎｃｅ−ｐｌｕｓ−Ｎｏｉｓｅ  Ｒａｔｉｏ）、ＥＶＭ（Ｅｒｒｏｒ  Ｖｅｃｔｏｒ  Ｍａｇｎｉｔｕｄｅ）、通信エラー率、通信エラー数、遅延プロファイル、受信信号に含まれる既知信号との相関量、適応信号処理の収束状態などを参照しても良い。以降受信電力を用いた場合で説明する。
【００５９】
また、受信電力測定結果に応じた処理を行うためのアプリケーション処理部１１８を有している。
【００６０】
なお、アプリケーション処理部１１８はコンピュータであり、端末装置１００の操作部１２０や表示部１２２の制御を行う図示されない制御部と図示されないＣＰＵや図示されないメモリを備えても良い。ここで、操作部１２０や表示部１２２の制御を行う制御部は、装置操作者の情報入力や装置操作者への情報出力を司る。
【００６１】
操作部１２０は、キーマトリクス（テンキーなど）や、十字キー、単独のキー、スライドスイッチ、その他ユーザの操作を電気信号に変換する変換部分である。
【００６２】
表示部１２２は、ＬＣＤ、ＯＬＥＤ、などの文字や画像を表示する出力装置や、ＬＥＤ、その他単体での発光や偏光、遮光、反射などを制御する光学素子であっても良い。
【００６３】
アプリケーション処理部１１８は、受信電力測定部１１４の測定した電力値が予め決めた値と比較し、より小さくなった時点でセルエリアの端が近づいたと推定できる。
【００６４】
セルエリアの端に近づいたことを推定できたときに、端末装置はハンドオーバ処理を行うが、このような通信規約に規定される動作は通信制御部１１２で行う。
【００６５】
アプリケーション処理部１１８では、セルエリアの端に近づいたことが推定できた場合に、現在通信中の基地局装置（図１では基地局装置２００−１）へ、セルエリアの端に近づいたことを示すメッセージを伝達する。なお、このような動作を行うにあたり、アプリケーション処理部１１８が、通信制御部１１２に作用しても良い。具体的には、通信規約で規定されたメッセージに、本発明実現に必要な情報（電力や、位置、他など）を載せ、基地局装置２００などへ送付しても良い。
【００６６】
また、端末装置１００は、位置情報取得部１２４を有していても良い。これにより、セルエリアの端に近づいたことが推定できた場合に、現在位置情報を取得し、前述のセルエリアの端に近づいたことを示すメッセージと併せて位置情報を基地局装置２００−１へ送っても良い。
【００６７】
なお、位置情報取得手段１２４は、例えばＧＰＳ（Ｇｌｏｂａｌ  Ｐｏｓｉｔｉｏｎｉｎｇ  Ｓｙｓｔｅｍ）受信装置を備えたＧＰＳ受信部により緯度、経度、高度の情報を取得しても良い。
【００６８】
また、複数の基地局装置２００が無線送信をする、制御信号などを受信したときの受信電力を送信元の基地局装置２００を識別する識別ＩＤとともに記録し、そのリストを基地局装置２００へ送信することにより、基地局装置２００または基地局装置２００が通信ネットワークを通じて接続するサーバ装置３００などでリストを解析し、リストにある基地局装置２００の位置と、リストを作成した端末装置１００の受信電力の関係から導き出されるおおよその距離とを、複数の異なる基地局装置２００で照らし合わせ、おおよその端末装置１００の位置を割り出す方法を用いても良い。
【００６９】
図３は、本発明の実施形態に係る基地局装置の構成ブロック図である。
【００７０】
基地局装置２００は、無線通信を行うために無線信号の送信処理や受信処理を行う無線部２１０を有している。図３の基地局装置２００は、無線部２１０が複数のアンテナ素子から構成されるアレイアンテナを有する例である。
【００７１】
また、無線部２１０は、受信した信号の受信電力を測定するための図示されない受信電力測定部を有している。なお、受信状態を検出するための図示されない受信状態検出部を有していてもよく、この受信状態を検出するために、電力、電界強度、ＳＮＲ（Ｓｉｇｎａｌ−ｔｏ−  Ｎｏｉｓｅ  Ｒａｔｉｏ）、ＳＩＲ（Ｓｉｇｎａｌ−ｔｏ−Ｉｎｔｅｒｆｅｒｅｎｃｅ  Ｒａｔｉｏ）、ＳＩＮＲ（Ｓｉｇｎａｌ−ｔｏ−Ｉｎｔｅｒｆｅｒｅｎｃｅ−ｐｌｕｓ−Ｎｏｉｓｅ  Ｒａｔｉｏ）、ＣＮＲ（Ｃａｒｒｉｅｒ−ｔｏ−  Ｎｏｉｓｅ  Ｒａｔｉｏ）、ＣＩＲ（Ｃａｒｒｉｅｒ  ｔｏ  Ｉｎｔｅｒｆｅｒｅｎｃｅ  Ｒａｔｉｏ）、ＣＩＮＲ（Ｃａｒｒｉｅｒ  ｔｏ  Ｉｎｔｅｒｆｅｒｅｎｃｅ−ｐｌｕｓ−Ｎｏｉｓｅ  Ｒａｔｉｏ）、ＥＶＭ（Ｅｒｒｏｒ  Ｖｅｃｔｏｒ  Ｍａｇｎｉｔｕｄｅ）、通信エラー率、通信エラー数、遅延プロファイル、受信信号に含まれる既知信号との相関量、適応信号処理の収束状態などを参照しても良い。以降受信電力を用いた場合で説明する。
【００７２】
通信制御部（ＰＨＹ）２１２は、端末装置１００との無線通信手順やハンドオーバ動作手順などの通信規約（プロトコル）の内、特に物理層の規約に則った動作を行うために、無線部２１０などを制御する。
【００７３】
アレイアンテナ信号処理部２１６は、前述の無線部２１０に備えられた複数のアンテナ素子を利用し、受信時や送信時にアダダプティブアレイアンテナ（ＡＡＡ：Ａｄａｐｔｉｖｅ  Ａｒｒａｙ  Ａｎｔｅｎｎａ）、スマートアンテナ（ＳＡ：Ｓｍａｒｔ  Ａｎｔｅｎｎａ）、ＭＩＭＯ（Ｍｕｌｔｉｐｌｅ  Ｉｎｐｕｔ  Ｍｕｌｔｉｐｌｅ  Ｏｕｔｐｕｔ）、ＭＩＳＯ（Ｍｕｌｔｉｐｌｅ  Ｉｎｐｕｔ  Ｓｉｎｇｌｅ  Ｏｕｔｐｕｔ）、ＳＩＭＯ（Ｓｉｎｇｌｅ  Ｉｎｐｕｔ  Ｍｕｌｔｉｐｌｅ  Ｏｕｔｐｕｔ）、ＳＩＳＯ（Ｓｉｎｇｌｅ  Ｉｎｐｕｔ  Ｓｉｎｇｌｅ  Ｏｕｔｐｕｔ）、空間分割多元接続（ＳＤＭＡ：Ｓｐａｃｅ  Ｄｉｖｉｓｉｏｎ  Ｍｕｌｔｉｐｌｅ  Ａｃｃｅｓｓ）などの何れかの信号処理を行う。
【００７４】
通信制御部（ＭＡＣ）２１４は、通信制御部（ＰＨＹ）２１２同様の通信規約の内、特にＭＡＣ層に関する規約に則った動作を行うために、通信制御部（ＰＨＹ）２１２やアレイアンテナ信号処理部２１６を制御する。
【００７５】
電源部２１８は、基地局装置２００を構成する各部に電源を供給する。なお、図３では制御信号や通信信号など情報がやり取りされる先のみ記載されており、電源部２１８より電力を供給する電線は記載されていないが、各構成部分に供給されているものとする。
【００７６】
電源部２１８は、制御信号を受け取ることにより、電力供給先を選択的に電源ＯＮ／ＯＦＦとすることができる。或いは、無線部への電力供給を加減することにより、送信電力を制御するここが出来ても良い。
【００７７】
ネットワークＩ／Ｆ部２２４（なお、Ｉ／Ｆは、ＩｎｔｅｒＦａｃｅの略）は、基地局装置２００を通信ネットワークに接続するためのインターフェイスである。基地局装置２００は、このネットワークＩ／Ｆ部を通じて、通信ネットワーク上に接続されているサーバ装置３００や、他の基地局装置と情報のやり取りを行うことが出来る。
【００７８】
基地局装置状態制御部２２０は、基地局装置２００の動作状態を制御する。基地局装置２００の動作状態は、目的に応じていくつか有り、その例を示すと、以下のようなものが有る。
・通常動作状態（アクティブモード）：端末装置１００と通信開始や通信継続が可能であり、制御信号を送信する電力が通信規約の規定値で送信されているため、基地局装置２００が提供可能なセルエリアに入った通信端末装置１００が、通常どおりに基地局装置を検出することができる。
・電源ＯＦＦ：端末装置１００との通信が行われていないなど、基地局装置２００の動作を停止しても問題が無い時に、なるべく消費電力を削減するなどの目的により、不要な部分の電源をＯＦＦにする。この際、再び電源をＯＮするよう基地局装置２００の外部から、例えば通信ネットワークを介してサーバ装置３００などからのメッセージが送られてきたとき、このメッセージの受信が可能となるよう、ネットワークＩ／Ｆ部２２４と、基地局装置状態を制御している基地局装置状態制御部２２０との構成部分のみに電力が供給されるように、そのほかの基地局装置２００の構成部分の電力供給を全てＯＦＦとしても良い。
・待機状態：基地局装置状態制御部が通信ネットワークを介して電源ＯＮのメッセージを受信したとき、なるべく素早く通常動作状態へ復帰できるよう、電源供給開始から通常動作状態となるまでに時間のかかる部分、例えば送信信号を増幅するための増幅器や基地局装置２００を運用管理するコンピュータなどは、前述の電源ＯＦＦの状態と異なり予め起動しておくことが有効な場合がある。
・送信電力抑圧状態：時刻に応じて通信利用者数の変化が激しい場所などでは、利用者数のピークに基地局装置の設置量を合わせるため、基地局装置の数が極端に多くなることがある。このような場合、通信利用者が少ない時刻でも、基地局装置２００が通常動作状態であることで制御信号を常時送信するため、必要以上の制御信号が存在することにより無線信号同士で干渉が生じるなどの弊害が起こらないとも限らない。このような事象の発生する確率を下げるため、送信電力を下げる（抑圧する）ことが有効な場合がある。
【００７９】
なお、「通常動作状態」を「アクティブモード」と称し、「電源ＯＦＦ」や「待機状態」などを「省電力モード」と称することもできる。
【００８０】
付加機能処理部２２２は、基地局装置２００が、単に無線通信プロトコルを実施し、ネットワークＩ／Ｆ部を介して通信ネットワークと無線信号との信号変換機として機能する以外に、端末装置１００の位置情報取得を行う場合や、図１の記載では基地局装置２００と異なる場所にあるサーバ装置３００を有る基地局装置２００が収容する場合など、基地局装置２００に付加的な機能を持たせるときに用いられる構成部分である。
【００８１】
図４は、本発明の実施形態に係るサーバ装置の構成ブロック図である。
【００８２】
サーバ装置３００は、複数の基地局装置２００を集約、管理し無線通信システムの通信規約に則る制御を行う役割を担っている。
【００８３】
サーバ装置３００が管理する基地局装置は予め決められており、同じ通信ネットワーク上に存在する基地局装置でも、他のサーバ装置が管理している場合もある。なお、サーバ装置が管理する基地局装置は、後に変更が有ってもよい。
【００８４】
ネットワークＩ／Ｆ部３１０は、サーバ装置３００を通信ネットワークに接続するためのインターフェイスである。サーバ装置３００は、このネットワークＩ／Ｆ部を通じて、通信ネットワーク上に接続されている基地局装置２００や、他のサーバ装置と情報のやり取りを行うことが出来る。
【００８５】
サーバ制御部３１２は、サーバ装置３００の全般的な機能を賄う制御装置である。
【００８６】
Ｕ／Ｉ制御部３１４（Ｕ／Ｉは、Ｕｓｅｒ  Ｉｎｔｅｒｆａｃｅの略）は、操作部３２０や表示部３２２を制御し、装置操作者からの情報入力や装置操作者への情報出力を司る。
【００８７】
操作部３２０は、キーマトリクス（テンキーなど）や、十字キー、単独のキー、スライドスイッチ、その他ユーザの操作を電気信号に変換する変換部分である。
【００８８】
表示部３２２は、ＬＣＤ、ＯＬＥＤ、などの文字や画像を表示する出力装置や、ＬＥＤ、その他単体での発光や偏光、遮光、反射などを制御する光学素子であっても良い。
【００８９】
端末装置位置情報取得部３２６は、通信ネットワークを介して、通信端末装置１００或いは基地局装置２００と情報をやり取りすることにより、端末装置１００の位置情報を位置情報として取得する、或いは位置に基づく情報を取得し演算などの情報処理により特定または推定する部分である。
【００９０】
なお、端末装置１００の位置情報を取得する方法は、前述した端末装置１００の位置情報取得部１２４を用いる方法や、複数の基地局装置２００が送信した信号の端末装置１００における受信電力に基づく方法の他にも、所定の端末装置１００が送信した信号を複数の基地局装置２００により受信したときの受信電力の情報をサーバ装置３００が集約し、付加機能処理部２２２にて、端末装置１００の位置を推定しても良い。
【００９１】
基地局装置状態指示部３２８は、通信ネットワークを介して基地局装置２００の基地局装置状態制御部２２０へメッセージを送ることにより、制御対象とする基地局装置へ遷移すべき状態を指示する。
【００９２】
基地局装置位置情報記憶部３３０は、基地局装置２００が設置されている位置に関する情報が記憶している。この基地局装置の位置情報と、端末装置の位置情報とを照らし合わせることにより、基地局装置状態指示部３２８は、状態を遷移すべき基地局装置を選択する。
【００９３】
無線通信システムプロトコル制御部３３２は、端末装置１００と基地局装置２００とが無線通信システム１０−１を構成する上での通信規約をサーバ装置側から制御する。具体的には、ハンドオーバの実施のとき、基地局装置間の通信の受け渡しなどに携わる。
【００９４】
図５は、本発明の第１の実施形態に係る図１に示すシステム構成において、本発明の流れを示すシーケンス図である。
【００９５】
先ず、端末装置１００と、基地局装置２００−１が通話中（ステップ５０２）、基地局装置２００−２が待機状態（ステップ５０４）で有った場合に、端末装置１００が次第に基地局装置２００−１から離れ、基地局装置２００−２へ近づいている場合について動作を示す。
【００９６】
ある時点で端末装置１００は、基地局装置２００−１からの無線信号を受信する電力が、所定値Ｘを下回ることを検出する（ステップ５０６）。なお、この所定値は、通常のハンドオーバを開始するよりも早い段階での検出を行えるよう、ハンドオーバを開始する電力値よりも大きめであることが望ましい。
【００９７】
端末装置１００は、通信中の基地局装置２００へ、通信規約に則る情報伝達手段（制御メッセージなど）を用いて、受信電力が所定値Ｘを下回った旨の通知を行う（ステップ５０８）。
【００９８】
なお図５の実施例では、端末装置１００が有する受信電力測定部１１４の測定結果から、アプリケーション処理部１１８が所定Ｘ以下を検出した場合についての動作を例示しているが、基地局装置２００−１側で端末装置１００からの無線信号の受信電力に基づき所定地位かであることを検出しても良い。
【００９９】
端末装置１００からの通知を受け、基地局装置２００−１も受信電力が所定値Ｘを下回ったことを検出する（ステップ５１０）。
【０１００】
この検出は、従来からある無線通信システムの通信規約上のメッセージを利用し、伝達された情報を理解する新たな処理部において行われても良い。本実施例では、この処理が基地局装置２００−１に有る付加機能処理部２２２にて行われるものとする。
【０１０１】
受信電力が所定値Ｘを下回ったことを検出したことを受け、付加機能処理部２２２は、端末装置１００の位置情報を取得すべく動作する。
【０１０２】
本実施例では、位置情報取得手段を端末装置が有しており、端末装置にて取得する場合について示す。
【０１０３】
具体的には、付加機能処理部２２２は、端末装置１００に向け、位置情報を通達するよう通信規約上のメッセージを利用して指示する（ステップ５１２）。
【０１０４】
端末装置１００は位置情報を通知するよう指示されたことを受け、位置情報取得部１２４を用いて端末装置１００の位置情報を取得する（ステップ５１４）。
【０１０５】
端末装置１００のアプリケーション処理部１１８は、取得した位置情報を基地局装置２００−１へメッセージを用いて通知するよう通信制御部１１２を制御する（ステップ５１６）。
【０１０６】
基地局装置２００−１の付加機能処理部２２２は、端末装置１００から位置情報の通知を受け、サーバ装置３００へ位置情報を通知する（ステップ５１８）。
【０１０７】
サーバ装置３００の端末装置位置情報取得部３２５は、端末装置１００の位置情報を、基地局装置２００−１より通知されることにより取得する（ステップ５２０）。
【０１０８】
サーバ装置３００のサーバ制御部３１２は、取得した端末装置の位置情報と、予め基地局装置位置情報記憶部３３０にて記憶している基地局装置の位置情報、或いは基地局装置のセルエリアに関する情報などを用いて、端末装置１００の位置への近さ、セルエリア端末装置の位置を含んでいるか否か、過去に行ったハンドオーバの成功率などの判断の何れかまたは複数を判断基準として用い、端末装置１００がハンドオーバ先とする上で、より有利な基地局装置を選択する（ステップ５２２）。
【０１０９】
サーバ装置３００の基地局装置状態指示部３２８は、選択した基地局装置である基地局装置２００−２へ、基地局装置の状態を通常動作状態とするよう指示する（ステップ５２４）。
【０１１０】
基地局装置２００−２の基地局装置状態制御部２２０は、サーバ装置からの指示に基づき基地局装置２００−２を通常動作状態とする（ステップ５２６）。
【０１１１】
このとき図５の例のように、待機状態であった場合は通常状態への状態遷移を行うが、既に通常動作状態であった場合は特に状態遷移のための動作をしなくても良い。
【０１１２】
その後、端末装置１００は更に移動し、受信信号の電力がハンドオーバ起動を判断するための閾値を下回ることにより、ハンドオーバ動作を開始する。このとき基地局装置２００−２は、既に通常動作状態となっており制御信号を送信していることから、端末装置１００は通常どおりハンドオーバを実施可能となる（ステップ５２８）。
【０１１３】
なお、前述の説明ではサーバ装置３００は通信ネットワーク上に独立して存在する場合について記述したが、ある選択の基地局装置にサーバ装置３００の機能が含まれていても良い。この場合サーバ装置の機能を含んだ基地局装置が通信ネットワークに接続されることにより、他の基地局装置を集約、管理する。
【０１１４】
なお、前述ではハンドオーバの開始を端末装置が自発的に行う例を示したが、基地局装置側でハンドオーバ動作を起動できる通信システムで有れば、ハンドオーバ先の候補となる基地局装置２００−２の動作状態が通常動作となった時点で、端末装置１００にハンドオーバを実行させても良い。
【０１１５】
このために、基地局装置２００−２の基地局装置状態制御部２２０は、状態遷移が終了したことや、既に指示された状態であった場合などに、その旨を状態指示したサーバ装置３００へ通知する機能を有しても良い。
【０１１６】
また、サーバ装置３００は、基地局装置２００−２から状態遷移終了の通知を受けた場合に、サーバ制御部３１２が無線通信システムプロトコル制御部３３２をハンドオーバが実行されるように制御しても良い。
【０１１７】
サーバ装置３００の基地局装置状態指示部３２８は、時刻によるトラフィックの差が激しい場所で無線通信を所定時間実行していない基地局装置など、所定の条件を検出したことに基づきその基地局装置の状態を、電源ＯＦＦ、待機状態、送信電力抑圧状態などへ遷移するよう指示しても良い。
【０１１８】
また、基地局装置２００の基地局装置状態制御部２２０が、所定時間無線通信が行われていないことに基づき電源ＯＦＦ、待機状態、送信電力抑圧状態などへ遷移するように動作しても良い。
【０１１９】
なお、電源ＯＦＦ、待機状態、送信電力抑圧状態などへ遷移する基地局装置と常に通常動作状態とする基地局装置を、予め決めておいても良い。
【０１２０】
例えば、住宅地など端末装置１００の移動が多くないと考えられる場所では、通常状態を維持する基地局装置の存在率を高くすることが考えられる一方、山中を通過する高速道路脇にある基地局装置など、ハンドオーバによる接続が多いと考えられる地域では、積極的に省電力モードへ遷移しも良い。
（本発明の第２の実施形態に係る構成）
これより第２の実施形態に係る構成について説明を記載する。
【０１２１】
なお、第１の実施形態との差異を示し、重複する部分は記述しない。
【０１２２】
図６は、本発明の第２の実施形態に係る通信システム１０−２の構成図である。
【０１２３】
第１の実施形態と異なる部分は、複数の基地局装置２００を集約するサーバ装置が複数有ることである。
【０１２４】
各々のサーバ装置３００−２１およびサーバ装置３００−２２は、通信ネットワークを介在して接続されており、情報のやり取りを行うことができる。また、それぞれのサーバ装置３００が異なる基地局装置２００を集約しており、その基地局装置２００の一部はセルエリアが重なる或いは近傍となるものが含まれている。
【０１２５】
図６では、サーバ装置３００−２１に集約される基地局装置２００−２１のセルエリア２０５と、サーバ装置３００−２２に集約される基地局装置２００−２２のセルエリア２０６とが、一部重なっている。
【０１２６】
このような通信システムにおいて、端末装置１００−２０が図６中の矢印に示される移動方向へ移動するときにおける各装置の動作について以下に説明する。
【０１２７】
図７は、本発明の第２の実施形態に係る図６に示すシステム構成において、本発明の流れを示すシーケンス図である。
【０１２８】
図７において、ステップ７０２からステップ７２０までは、図５のステップ５０２からステップ５２０において端末装置１００を端末装置１００−２０へ、基地局装置２００−１を基地局装置２００−２１へ、基地局装置２００−２を基地局装置２００−２２へ、サーバ装置３００をサーバ装置３００−２１へ置き換えた場合と同じ動作であるため、説明を省く。
【０１２９】
第１の実施形態と異なる部分は端末装置位置情報を取得（ステップ７２０）以降となる。
【０１３０】
サーバ装置３００−２１は、端末装置１００−２０の位置情報に対し、適切なハンドオーバ先が無いと判断した場合、他のサーバ装置へハンドオーバ先となる基地局装置の検索を託すように動作する。この際、端末装置１００−２０の位置情報をサーバ装置３００−２２へ送付する（ステップ７２２）。
【０１３１】
サーバ装置３００−２２のサーバ制御部３１２は、取得した端末装置の位置情報と、予め基地局装置位置情報記憶部３３０にて記憶している基地局装置の位置情報、或いは基地局装置のセルエリアに関する情報などを用いて、端末装置１００−２０の位置への近さ、セルエリア端末装置の位置を含んでいるか否か、過去に行ったハンドオーバの成功率などの判断の何れかまたは複数を判断基準として用い、端末装置１００−２０がハンドオーバ先とする上で、より有利な基地局装置を選択または選択する（ステップ７２３）。
【０１３２】
サーバ装置３００−２２の基地局装置状態指示部３２８は、選択した基地局装置である基地局装置２００−２２へ、基地局装置の状態を通常動作状態とするよう指示する（ステップ７２４）。
【０１３３】
基地局装置２００−２」２の基地局装置状態制御部２２０は、サーバ装置からの指示に基づき基地局装置２００−２２を通常動作状態とする（ステップ７２６）。
【０１３４】
このとき図５の例のように、待機状態であった場合は通常状態への状態遷移を行うが、既に通常動作状態であった場合は特に状態遷移のための動作をしなくても良い。
【０１３５】
その後、端末装置１００−２０は更に移動し、受信信号の電力がハンドオーバ起動を判断するための閾値を下回ることにより、ハンドオーバ動作を開始する。このとき基地局装置２００−２２は、既に通常動作状態となって制御信号を送信していることから、端末装置１００−２０は通常どおりハンドオーバを実施可能となる（ステップ７２８）。
【０１３６】
なお、前述の説明ではサーバ装置３００−２１およびサーバ装置３００−２２は通信ネットワーク上に独立して存在する場合について記述したが、ある選択の基地局装置にサーバ装置３００−２１またはサーバ装置３００−２２の機能が含まれていても良い。この場合サーバ装置の機能を含んだ基地局装置が通信ネットワークに接続されることにより、他の基地局装置を集約、管理する。
【符号の説明】
【０１３７】
１０−１，１０−２…通信システム、
１００，１００−２…端末装置、
１１０…無線部、
１１２…通信制御部、
１１４…受信電力測定部、
１１８…アプリケーション処理部、
１２０…操作部、
１２２…表示部、
１２４…位置情報取得手段、
２００，２００−１，２００−２，２００−３，２００−４，２００−２１，２００−２２，２００−２３，２００−２４…基地局装置、
２０１，２０２，２０５，２０６…セルエリア、
２１０…無線部、
２１２…通信制御部（ＰＨＹ）、
２１４…通信制御部（ＭＡＣ）、
２１６…アレイアンテナ信号処理部、
２１８…電源部、
２２０…基地局装置状態制御部、
２２２…付加機能処理部、
２２４…ネットワークＩ／Ｆ部
３００，３００−２１，３００−２２…サーバ装置、
３１０…ネットワークＩ／Ｆ部
３１２…サーバ制御部、
３１４…Ｕ／Ｉ制御部、
３２０…操作部、
３２２…表示部、
３２６…端末装置位置情報取得部、
３２８…基地局装置状態指示部
３３０…基地局装置位置情報記憶部、
３３２…無線通信システムプロトコル制御部
【図１】
0005550295.tif 000002
【図２】
0005550295.tif 000003
【図３】
0005550295.tif 000004
【図４】
0005550295.tif 000005
【図５】
0005550295.tif 000006
【図６】
0005550295.tif 000007
【図７】
0005550295.tif 000008